(57)【要約】【課題】農園芸支柱用パイプの端部への取付強度が大きく水密性に優れた農園芸支柱用キャップ及び農園芸支柱用継手と、これらを両端く具備した農園芸支柱を提供する。【解決手段】農園芸支柱用パイプ３の外面に合致する内面１ｄを備えた外嵌筒部１ｂと、パイプ３の内面に合致する外面１ｇを備えた内嵌筒部１ｃとを具備し、内嵌筒部の軸心線に平行する溝状の切欠き１ｈを内嵌筒部１ｃに少なくとも一つ形成した構成の農園芸支柱用キャップ１とする。農園芸支柱用継手は、農園芸支柱用パイプの端部を差込接続する複数の接続口の少なくとも一つが、外嵌筒部と内嵌筒部とを具備し、内嵌筒部に溝状の切欠きが少なくとも一つ形成された構成とする。外嵌筒部１ｂと内嵌筒部１ｃの間にパイプ３端部を嵌合して接着又は熱溶着により取付固定すると、取付強度や水密性が大幅に向上する。【選択図】図４
2007143517.tif 000002
【特許請求の範囲】
【請求項１】
農園芸支柱用パイプの端部に嵌着されるキャップであって、農園芸支柱用パイプの外面に合致する内面を備えた外嵌筒部と、農園芸支柱用パイプの内面に合致する外面を備えた内嵌筒部とを具備し、内嵌筒部の軸心線に平行する溝状の切欠きが内嵌筒部に少なくとも一つ形成されていることを特徴とする農園芸支柱用キャップ。
【請求項２】
農園芸支柱用パイプの端部を差込接続する接続口が複数設けられた継手であって、その少なくとも一つの接続口が、農園芸支柱用パイプの外面に合致する内面を備えた外嵌筒部と、農園芸支柱用パイプの内面に合致する外面を備えた内嵌筒部とを具備し、内嵌筒部の軸心線に平行する溝状の切欠きが内嵌筒部に少なくとも一つ形成されていることを特徴とする農園芸支柱用継手。
【請求項３】
農園芸支柱用パイプの一端を、請求項２に記載された農園芸支柱用継手の接続口の外嵌筒部と内嵌筒部との間に嵌合固定すると共に、キャップ又は栓体を農園芸支柱用パイプの他端に嵌合固定したことを特徴とする農園芸支柱。
【請求項４】
キャップが請求項１に記載の農園芸支柱用キャップであって、その外嵌筒部と内嵌筒部との間に農園芸支柱用パイプの他端を嵌合固定したことを特徴とする請求項３に記載の農園芸支柱。
【請求項５】
農園芸支柱用パイプが金属製であることを特徴とする請求項３又は請求項４に記載の農園芸支柱。
【請求項６】
農園芸支柱用パイプの少なくとも外面が樹脂被覆又は塗装されていることを特徴とする請求項３ないし請求項５のいずれかに記載の農園芸支柱。
【発明の詳細な説明】
【技術分野】
【０００１】
本発明は農園芸支柱用のキャップ及び継手、並びに、これらを両端に取り付けた農園芸支柱に関する。
【背景技術】
【０００２】
従来より、農園芸支柱として、樹脂被覆金属管の両端に合成樹脂製の栓体又はキャップを取付けたものが知られている（例えば、特許文献１）。かかる農園芸支柱は、栓体又はキャップによって樹脂被覆金属管内部への水の侵入が阻止されるため、金属管に錆びが発生するのを防止できる利点がある。
【０００３】
しかしながら、上記の農園芸支柱は、樹脂被覆金属管の端部に栓体を内嵌して接着するか、或いは、樹脂被覆金属管の端部にキャップを外嵌して接着又は溶着したものであるため、栓体やキャップが比較的外れ易いという問題があり、また水密性も不十分で水が樹脂被覆金属管に侵入し易いという問題もあった。
【０００４】
また、農園芸支柱の継手として、円筒状の筒状体２の内面に、長さ方向に沿う複数条のリブを形成したものが知られている（特許文献２）。この種の継手は、予め農園芸支柱の一端に取付固定されていると、接続すべき農園芸支柱の他端を該継手に差込むだけで作業性良く農園芸支柱を接続することができる。けれども、上記特許文献２の継手は、内面にリブがあるため農園芸支柱の端部に密着状態で取付固定できず、外れ易いという問題があった。
【特許文献１】特開平９−２７５８１３号公報
【特許文献２】実開平４−１２７１３５号公報
【発明の開示】
【発明が解決しようとする課題】
【０００５】
本発明は上記の問題に対処すべくなされたもので、農園芸支柱用パイプの端部への取付強度が大きく水密性に優れた農園芸支柱用キャップを提供することを第一の目的とし、また、農園芸支柱用パイプの端部への取付強度が大きく水密性に優れた農園芸支柱用継手を提供することを第二の目的とし、更に、この継手を農園芸支柱用パイプの一端に具備しキャップ又は栓体を他端に具備した農園芸支柱を提供することを第三の目的としている。
【課題を解決するための手段】
【０００６】
第一の目的を達成するため、本発明に係る農園芸支柱用キャップは、農園芸支柱用パイプの端部に嵌着されるキャップであって、農園芸支柱用パイプの外面に合致する内面を備えた外嵌筒部と、農園芸支柱用パイプの内面に合致する外面を備えた内嵌筒部とを具備し、内嵌筒部の軸心線に平行する溝状の切欠きが内嵌筒部に少なくとも一つ形成されていることを特徴とするものである。
【０００７】
そして、第二の目的を達成するため、本発明に係る農園芸支柱用継手は、農園芸支柱用パイプの端部を差込接続する接続口が複数設けられた継手であって、その少なくとも一つの接続口が、農園芸支柱用パイプの外面に合致する内面を備えた外嵌筒部と、農園芸支柱用パイプの内面に合致する外面を備えた内嵌筒部とを具備し、内嵌筒部の軸心線に平行する溝状の切欠きが内嵌筒部に少なくとも一つ形成されていることを特徴とするものである。
【０００８】
更に、第三の目的を達成するため、本発明に係る農園芸支柱は、農園芸支柱用パイプの一端を、上記の農園芸支柱用継手の接続口の外嵌筒部と内嵌筒部との間に嵌合固定すると共に、キャップ又は栓体を農園芸支柱用パイプの他端に嵌合固定したことを特徴とするものである。
この農園芸支柱においては、キャップが上記の農園芸支柱用キャップであって、その外嵌筒部と内嵌筒部との間に農園芸支柱用パイプの他端を嵌合固定していることが好ましく、また、農園芸支柱用パイプが金属製であること、或いは、農園芸支柱用パイプの少なくとも外面が樹脂被覆又は塗装されていることが好ましい。
【発明の効果】
【０００９】
本発明の農園芸支柱用キャップは、その外嵌筒部と内嵌筒部との間に農園芸支柱用パイプの端部を嵌合して接着又は熱溶着することにより、農園芸支柱用パイプの端部に取付固定される。このように農園芸支柱用キャップを農園芸支柱用パイプの端部に取付けると、外嵌筒部の内面と農園芸支柱用パイプの外面が密着すると共に、内嵌筒部の外面と農園芸支柱用パイプの内面が密着するため、取付強度及び水密性が大幅に向上する。しかも、内嵌筒部は溝状の切欠きによって縮径が可能であるため、農園芸支柱用パイプの嵌合作業を容易に行うことができ、嵌合した後は内嵌筒部が弾性復元力によって農園芸支柱用パイプの内面に圧接するため、取付強度や水密性が一層向上するようになる。
【００１０】
また、本発明の農園芸支柱用継手も、その少なくとも一つの接続口が外嵌筒部と、溝条の切欠きを形成した内嵌筒部を具備するものであるから、上記と同様に農園芸支柱用パイプの端部に嵌合して接着又は熱溶着により取付固定すると、取付強度や水密性が大幅に向上し、嵌合作業も容易に行うことができる。そして、この農園芸支柱用継手の他の接続口に、接続すべき農園芸支柱の端部を差込むことで作業性良く農園芸支柱を接続することができる。
【００１１】
更に、本発明の農園芸支柱は、農園芸支柱用パイプの一端に上記の農園芸支柱用継手を強固かつ水密的に取付固定したものであるから、この継手が外れたりパイプの一端から水が侵入することがなく、この継手の他の接続口に、接続すべき農園芸支柱のキャップ又は栓体を取付けた他端を差込むだけで、作業性良く農園芸支柱を接続することができる。
特に、農園芸支柱用パイプの他端に取付けたキャップが上記の本発明の農園芸支柱用キャップである農園芸支柱は、このキャップが強固かつ水密的に嵌合されているので、パイプの他端から水が侵入したり、継手の接続口から農園芸支柱を抜取るときにキャップが外れたりするのを十分防止することができる。そして、農園芸支柱用パイプが金属製である場合は、強度、特に抗折強度等が向上し、また、農園芸支柱用パイプの少なくとも外面が樹脂被覆又は塗装されている場合は、外面からの発錆を防止することができる。
【発明を実施するための最良の形態】
【００１２】
図１は本発明の農園芸支柱用キャップの一実施形態を示す正面図、図２は同実施形態の左側面図、図３は同実施形態の右側面図、図４は図２のＡ−Ａ線断面図である。
【００１３】
この農園芸支柱用キャップ１は、ポリエチレン、ポリプロピレン、ポリ塩化ビニル、ポリカーボネートその他の熱可塑性樹脂で射出成形されたものであって、ドーム形の頭部１ａと、外嵌筒部１ｂと、内嵌筒部１ｃを具備している。
【００１４】
外嵌筒部１ｂは、図４に示すように、農園芸支柱用パイプ３の外面に合致する内面１ｄを備えたもので、農園芸支柱用パイプ３の外径と実質同一の内径を有しており、この外嵌筒部１ｂの内面のほぼ中央から奥側は、僅かに奥窄まりのテーパー面１ｅとされている。そして、この外嵌筒部１ｂの開口端部の内周にはガイド用のぬすみ部１ｆが形成され、農園芸支柱用パイプ３を容易に差込むことができるようになっている。
【００１５】
一方、内嵌筒部１ｃは外嵌筒部１ｂの内側に同心的に設けられており、その長さは外嵌筒部１ｂのほぼ半分とされている。この内嵌筒部１ｃは農園芸支柱用パイプ３の内面に合致する外面１ｇを備えたもので、農園芸支柱用パイプ３の内径と実質同一の外径を有している。そして、この内嵌筒部１ｃには、該内嵌筒部１ｃの軸心線に平行する溝状の切欠き１ｈが少なくとも一つ、好ましくは、この実施形態のように１２０°の等角度間隔をあけて３つ形成されている。尚、切欠き１ｈの個数は２つでも４つ以上でもよい
【００１６】
上記構成の農園芸支柱用キャップは、図４，図１１に示すように、その外嵌筒部１ｂと内嵌筒部１ｃとの間に農園芸支柱用パイプ３の端部を嵌合して接着又は熱溶着することにより、農園芸支柱用パイプ３の端部に取付固定される。このように取付固定すると、外嵌筒部１ｂの内面１ｄ、特に奥側のテーパー面１ｅと、農園芸支柱用パイプ３の外面が密着すると共に、内嵌筒部１ｃの外面１ｇと農園芸支柱用パイプ３の内面が密着するため、取付強度及び水密性が大幅に向上し、農園芸支柱用キャップ１が農園芸支柱用パイプ３から脱落したり、農園芸支柱用パイプ３の内部に水が侵入したりする心配が解消される。特に、内嵌筒部１ｃは、農園芸支柱用パイプ３を嵌合するときに、溝状の切欠き１ｈによって縮径が可能であるため、農園芸支柱用パイプ３の嵌合作業を容易に行うことができ、嵌合した後は内嵌筒部１ｃが弾性復元力によって農園芸支柱用パイプ３の内面に圧接するため、取付強度や水密性が一層向上するといった利点がある。
【００１７】
図５は本発明の農園芸支柱用継手の一実施形態を示す正面図、図６は同実施形態の左側面図、図７は同実施形態の右側面図、図８は図６のＢ−Ｂ線断面図である。
【００１８】
この農園芸支柱用継手２は、前記の農園芸支柱用キャップと同様の熱可塑性樹脂で射出成形されたものであって、左右に二つの構造の異なる接続口２１，２２が設けられている。
【００１９】
右側の接続口２ａは、前述のキャップ１と同様に、外嵌筒部２ｂと内嵌筒部体２ｃを具備したもので、外嵌筒部２ｂは農園芸支柱用パイプ３の外面に合致する内面２ｄを備えており、該パイプ３の外径と実質同一の内径を有している。そして、この外嵌筒部２ｂの内面のほぼ中央から奥側は、僅かに奥窄まりのテーパー面２ｅに形成されている。また、この外嵌筒部２ｂの開口端部の内周にはガイド用のぬすみ部２ｆが形成されて、農園芸支柱用パイプ３の差込みを容易に行うことができるようになっている。
【００２０】
また、この接続口２１の内嵌筒部２ｃは、外嵌筒部２ｂの内側に同心的に設けられており、その長さは外嵌筒部２ｂの半分以下とされている。この内嵌筒部２ｃは農園芸支柱用パイプ３の内面に合致する外面２ｇを備えたもので、農園芸支柱用パイプ３の内径と実質同一の外径を有している。そして、この内嵌筒部２ｃには、該内嵌筒部２ｃの軸心線に平行する溝状の切欠き２ｈが少なくとも一つ、好ましくは、この実施形態のように１２０°の等角度間隔をあけて３つ形成されている。尚、切欠き２ｈの個数は２つでも４つ以上でもよい。
【００２１】
他方の接続口２２は、図８，図１３に示すように、農園芸支柱用キャップ１の外嵌筒部１ｂの外径より僅かに大きい内径を有する筒体２ｉからなるもので、その内面には３本のリブ２ｊが１２０°の等角度間隔をあけて形成されており、また、この筒体２ｉの奥端には、農園芸支柱用キャップ１を当止させる４つの当止片２ｋが９０°の等角度間隔をあけて形成されている。尚、リブ２ｊの本数や当止片２ｋの個数は２つ以上であればいくつでもよい。
【００２２】
上記構成の農園芸支柱用継手２は、予め、農園芸支柱用パイプ３の端部に取付固定されて使用される。即ち、図８，図１０に示すように、この農園芸支柱用継手２の接続口２１の外嵌筒部２ｂと内嵌筒部２ｃとの間に農園芸支柱用パイプ３の端部を嵌合して接着又は熱溶着することにより、予めこの農園芸支柱用継手２を農園芸支柱用パイプ３の端部に取付固定しておき、図１３に示すように、この農園芸支柱用継手２の他方の接続口２２の筒体２ｉに、接続すべき農園芸支柱の端部をキャップ１ごと差込んで接続する。なお、他方の接続口２２の筒体２ｉには、他のキャップや栓体を取付けた農園芸支柱の端部を差込んで接続しても勿論よい。
【００２３】
上記のように、予め農園芸支柱用継手２の接続口２１の外嵌筒部２ｂと内嵌筒部２ｃとの間に農園芸支柱用パイプ３の端部を嵌合して接着又は熱溶着すると、外嵌筒部２ｂの内面２ｄ、特に奥側のテーパー面２ｅと、農園芸支柱用パイプ３の外面が密着すると共に、内嵌筒部２ｃの外面２ｇと農園芸支柱用パイプ３の内面が密着するため、取付強度及び水密性が大幅に向上する。しかも、内嵌筒部２ｃは、農園芸支柱用パイプ３を嵌合するときに、溝状の切欠き２ｈによって縮径が可能であるため、農園芸支柱用パイプ３の嵌合作業を容易に行うことができ、嵌合した後は内嵌筒部２ｃが弾性復元力によって農園芸支柱用パイプ３の内面に圧接するため、取付強度や水密性が一層向上するようになる。そのため、農園芸支柱用継手２が農園芸支柱用パイプ３から脱落したり、農園芸支柱用パイプ３の内部に水が侵入することはなくなる。
【００２４】
図９は本発明に係る農園芸支柱用継手の他の実施形態を示す断面図である。
【００２５】
この農園芸支柱用継手２０は、前述した農園芸支柱用継手２の両側に、農園芸支柱の端部を差込み接続するための前述した接続口２２を更に二つ直角に設けた十字継手である。接続口２１、接続口２２の構成は前述した通りであるから、図９において同一部材に同一符号を付すにとどめ、重複説明を省略する。
【００２６】
このような農園芸支柱用継手２０は、予め、その接続口２１の外嵌筒部２ｂと内嵌筒部２ｃとの間に農園芸支柱用パイプ３の端部を嵌合して接着又は熱溶着することにより、農園芸支柱用パイプ３の端部に取付固定しておき、他の３つの接続口２２の筒体２ｉに、接続すべき農園芸支柱の端部をキャップ１ごとそれぞれ差込接続して使用される。なお、他の３つの接続口２２の筒体２ｉには、他のキャップや栓体を取付けた農園芸支柱の端部を差込んで接続しても勿論よい。
【００２７】
本発明の農園芸支柱用継手２０は、上記のように複数の接続口２１，２２のうち、少なくとも一つの接続口２１が外嵌筒部２ｂと内嵌筒部２ｃを有するものであればよく、また、接続口の数は、２つ以上６つ以下であれば幾つでもよい。
【００２８】
図１０は本発明に係る農園芸支柱の一実施形態を示す正面図、図１１は同実施形態の農園芸支柱の縦断面図、図１２は同実施形態の農園芸支柱を接続したところを示す正面図、図１３は同実施形態の農園芸支柱の接続部分の縦断面図である。
【００２９】
この農園芸支柱３０は、農園芸支柱用パイプ３の両端に、前述の農園芸支柱用キャップ１と農園芸支柱用継手２を強固かつ水密的に取付固定したものである。この農園芸支柱３０におけるパイプ３は、図１１に示すように、金属パイプ３ａの外面に樹脂被覆３ｂを施したもので、樹脂被覆３ｂの外面には多数の突起３ｃが形成されている。このため、この農園芸支柱用パイプ３は、強度、特に抗折強度等が大きく、樹脂被覆３ｂによって外面からの発錆を防止することができ、また、植物を結びつけるときに紐や線材が滑らないので所定の位置に結びつけることができる。農園芸支柱用パイプ３は、この実施形態のパイプに限定されるものではなく、例えば、金属パイプ３ａの外面に錆止め等の塗装を施したものなども好ましく使用される。
【００３０】
農園芸支柱用キャップ１の構成、農園芸支柱用継手２の構成、これらを農園芸支柱用パイプ３の両端に取付固定する方法等は、前述した通りであるので、図１０〜図１３において同一部材に同一符号を付すにとどめ、重複説明を省略する。
【００３１】
この農園芸支柱３０は、農園芸支柱用パイプ３の両端に前述した農園芸支柱用キャップ１と農園芸支柱用継手２を強固かつ水密的に取付固定したものであるから、これらのキャップ１や継手２が外れたり、水が農園芸支柱用パイプ３内に侵入したりする心配がなく、図１２、図１３に示すように、一端の農園芸支柱用継手２の接続口２２に、接続すべき農園芸支柱の端部を農園芸支柱用パイプ３ごと差込むだけで、作業性良く確実に農園芸支柱を接続することができる。
【００３２】
上記実施形態の農園芸支柱３０は、農園芸支柱用パイプ３の両端に前述の農園芸支柱用キャップ１と農園芸支柱用継手２とを嵌合固定しているが、本発明の農園芸支柱は、農園芸支柱用パイプ３の一端に前述の農園芸支柱用継手２が嵌合固定されていれば、他端には必ずしも前述の農園芸支柱用キャップ１を嵌合固定する必要がなく、構造の異なる他のキャップを嵌合固定したり、栓体を嵌合固定してもよいものである。
【図面の簡単な説明】
【００３３】
【図１】本発明の農園芸支柱用キャップの一実施形態を示す正面図である。
【図２】同実施形態の左側面図である。
【図３】同実施形態の右側面図である。
【図４】図２のＡ−Ａ線断面図である。
【図５】本発明の農園芸支柱用継手の一実施形態を示す正面図である。
【図６】同実施形態の左側面図である。
【図７】同実施形態の右側面図である。
【図８】図６のＢ−Ｂ線断面図である。
【図９】図９は本発明に係る農園芸支柱用継手の他の実施形態を示す断面図である。
【図１０】本発明に係る農園芸支柱の一実施形態を示す正面図である。
【図１１】同実施形態の農園芸支柱の縦断面図である。
【図１２】同実施形態の農園芸支柱を接続したところを示す正面図である。
【図１３】同実施形態の農園芸支柱の接続部分の縦断面図である。
【符号の説明】
【００３４】
１    農園芸支柱用キャップ
１ｂ，２ｂ  外嵌筒部
１ｃ，２ｃ  内嵌筒部
１ｄ，２ｄ  外嵌筒体の内面
１ｅ，２ｅ  テーパー面
１ｇ，２ｇ  内嵌筒体の外面
１ｈ，２ｈ  溝状の切欠き
２，２０  農園芸支柱用継手
２１，２２  接続口
３，３０    農園芸支柱用パイプ
３ａ  金属パイプ
３ｂ  樹脂被覆
【図１】
2007143517.tif 000003
【図２】
2007143517.tif 000004
【図３】
2007143517.tif 000005
【図４】
2007143517.tif 000006
【図５】
2007143517.tif 000007
【図６】
2007143517.tif 000008
【図７】
2007143517.tif 000009
【図８】
2007143517.tif 000010
【図９】
2007143517.tif 000011
【図１０】
2007143517.tif 000012
【図１１】
2007143517.tif 000013
【図１２】
2007143517.tif 000014
【図１３】
2007143517.tif 000015